(57)【要約】【課題】  例えば、ＨＵＤ装置の負担等を軽減しつつ、ＨＵＤ装置が意図する虚像表示距離での情報の知覚を実現すること。【解決手段】  オブジェクトについての虚像表示距離を制御することが可能なヘッドアップディスプレイ（ＨＵＤ）装置は、オブジェクトの画像を表示する画像表示部４６と、オブジェクトの画像を画像表示部に表示させる際、オブジェクトの虚像表示距離が閾値より小さいときは、虚像表示距離を可変に制御する距離制御を少なくとも含む３Ｄ表示制御によってオブジェクトの画像を表示させ、オブジェクトの虚像表示距離が閾値より大きいときは、オブジェクトについての表示形態を変更することで疑似的に３Ｄ表示を実現する疑似３Ｄ表示制御によってオブジェクトの画像を表示させる奥行き表示制御部３４と、を有する【選択図】  図７
2020158014.tif 000002
【特許請求の範囲】
【請求項１】
車両に搭載され、オブジェクトの画像を、前記車両に備わる被投影部材に投影することで、ユーザーに前記画像の虚像を視認させ、かつ、前記ユーザー上又は前記車両上に設定される基準点から前記虚像までの距離を虚像表示距離とする場合に、前記オブジェクトについての虚像表示距離を制御することが可能なヘッドアップディスプレイ（ＨＵＤ）装置であって、
前記オブジェクトの画像を表示する画像表示部と、
前記オブジェクトの画像を前記画像表示部に表示させる際、前記オブジェクトの虚像表示距離が閾値より小さいときは、前記虚像表示距離を可変に制御する距離制御を少なくとも含む３Ｄ表示制御によって前記オブジェクトの画像を表示させ、前記オブジェクトの虚像表示距離が閾値より大きいときは、前記オブジェクトについての表示形態を変更することで疑似的に３Ｄ表示を実現する疑似３Ｄ表示制御によって前記オブジェクトの画像を表示させる奥行き表示制御部と、
を有することを特徴とするヘッドアップディスプレイ装置。
【請求項２】
前記奥行き表示制御部は、
前記オブジェクトの虚像表示距離が閾値より大きいときは、前記閾値が示す距離を前記オブジェクトについての虚像表示距離と定め、その虚像表示距離の虚像表示面にて、前記
疑似３Ｄ表示制御によって前記オブジェクトの画像を表示させる、
ことを特徴とする、請求項１に記載のヘッドアップディスプレイ装置。
【請求項３】
前記オブジェクトについての表示形態を変更には、立体化、陰影の付与、色彩の変更、形状の変更、サイズの変更の少なくも１つが含まれることを特徴とする、請求項１又は２に記載のヘッドアップディスプレイ装置。
【請求項４】
前記虚像表示距離を可変に制御する距離制御を少なくとも含む３Ｄ表示制御は、前記距離制御単独、または、前記距離制御と前記疑似３Ｄ表示制御との組み合わせである、ことを特徴とする、請求項１乃至３の何れか１項に記載のヘッドアップディスプレイ装置。
【請求項５】
前記奥行き表示制御部は、
虚像表示面が、路面に対して垂直に立設されることなく傾斜し、あるいは前記路面に重なる場合において、その傾斜し、あるいは路面に重なる虚像表示面のうちの、前記閾値が示す距離よりも、前記ユーザーから見て遠くにある箇所に前記オブジェクトの虚像を表示するときは、前記箇所に対応する虚像部分の全部を、前記閾値およびその近傍における虚像表示距離にて表示し、かつ、前記虚像部分に対応する画像に前記疑似３Ｄ表示制御を実施し、これによって、前記虚像部分が、前記閾値が示す距離よりも前記ユーザーの近い側にある前記オブジェクトの虚像部分に遠近感をもって接続されるように表示を制御する、ことを特徴とする請求項１乃至４の何れかに記載のヘッドアップディスプレイ装置。
【請求項６】
請求項１乃至５の何れか１項に記載のヘッドアップディスプレイ装置に搭載され、コンピュータを用いて実現される、前記奥行き表示制御部としての表示制御装置。
【請求項７】
コンピュータを、請求項６に記載の表示制御装置として動作させる表示制御プログラム。
【発明の詳細な説明】
【技術分野】
【０００１】
本発明は、例えば自動車等の車両に搭載されるヘッドアップディスプレイ（ＨＵＤ）装置、表示制御装置、及び表示制御プログラム等に関する。
【背景技術】
【０００２】
特許文献１には、ヘッドアップディスプレイ（ＨＵＤ）装置において、焦点面の移動又は、焦点面と乗り物との間の距離の調整によって、グラフィック要素が立体的に見えるようにした３Ｄナビゲーションシステムが示されている。
【０００３】
また、特許文献２には、ＨＵＤ装置において、虚像までの距離を変化させる態様の１つとして、虚像表示面を路面に対して斜めに設け、表示位置による遠近制御を行う点が開示されている（例えば、図８、図９）。
【０００４】
また、特許文献３には、距離調整ではなく、表示対象の形状等によって立体感を与えるＨＵＤ装置において、状況に応じて、その形状等を異ならせ、あるいは元の状態に復帰させるといった表示制御を行うことが示されている。
【先行技術文献】
【特許文献】
【０００５】
【特許文献１】特開２０１５−６９６５６号公報
【特許文献２】特開２０１６−１１７３４５号公報
【特許文献３】ＷＯ２０１６−１６６８８７号公報
【発明の概要】
【発明が解決しようとする課題】
【０００６】
虚像を表示する距離（虚像表示距離）自体を制御するＨＵＤ装置において、虚像表示距離の全範囲で距離制御を必ず実行することとした場合、ＨＵＤ装置の負担が大きく、また、ＨＵＤ装置のパッケージサイズ（具体的には、ＨＵＤ装置の外観形状を構成する筐体等の大きさや寸法）の大型化を招くことになる。
【０００７】
また、ＨＵＤ装置の負担が大きくなれば、画像処理等に要する時間が増大し、処理遅延が生じる可能性がある。また、ＨＵＤ装置の消費電力が増大したり、発熱量が増大したりする問題も懸念される。このような課題が、本発明者の検討によって明らかとされた。
【０００８】
なお、特許文献３に記載される表示制御は、表示コンテンツの形状等を変化させて立体的に見せるものであり、虚像表示距離を可変に制御する方式ではなく、その技術内容は、本発明とは根本的に異なっている。従って、特許文献３には、上記の課題や、その解決手段についても示されていない。
【０００９】
本発明の１つの目的は、例えば、ＨＵＤ装置の負担等を軽減しつつ、ＨＵＤ装置が意図する虚像表示距離での情報の知覚を実現することである。
【００１０】
本発明の他の目的は、以下に例示する態様及び最良の実施形態、並びに添付の図面を参照することによって、当業者に明らかになるであろう。
【課題を解決するための手段】
【００１１】
以下に、本発明の概要を容易に理解するために、本発明に従う態様を例示する。
【００１２】
第１の態様において、ヘッドアップディスプレイ装置は、車両に搭載され、オブジェクトの画像を、前記車両に備わる被投影部材に投影することで、ユーザーに前記画像の虚像を視認させ、かつ、前記ユーザー上又は前記車両上に設定される基準点から前記虚像までの距離を虚像表示距離とする場合に、前記オブジェクトについての虚像表示距離を制御することが可能なヘッドアップディスプレイ（ＨＵＤ）装置であって、
前記オブジェクトの画像を表示する画像表示部と、
前記オブジェクトの画像を前記画像表示部に表示させる際、前記オブジェクトの虚像表示距離が閾値より小さいときは、前記虚像表示距離を可変に制御する距離制御を少なくとも含む３Ｄ表示制御によって前記オブジェクトの画像を表示させ、前記オブジェクトの虚像表示距離が閾値より大きいときは、前記オブジェクトについての表示形態を変更することで疑似的に３Ｄ表示を実現する疑似３Ｄ表示制御によって前記オブジェクトの画像を表示させる奥行き表示制御部と、を有する。
【００１３】
第１の態様では、例えば所定の閾値を超えない範囲で表示されるオブジェクトについては、虚像表示距離の直接的制御を含む処理（表示形態の変更による疑似３Ｄ表示制御を組み合わせることもできる。これらを総称して、「３Ｄ表示制御」と称する）を実施する。一方、閾値を超えて遠方に表示されるオブジェクトについては、直接的な距離制御を行わず、疑似３Ｄ画像処理による遠近強調（表示形態の変更によって遠近感を表現すること）によって、知覚を介した距離制御を実施することとする。
【００１４】
ある程度の遠方にある物体（オブジェクト）を人が見るときの輻輳角は十分に小さくなっており、距離制御では、輻輳角の変化を人に感じさせることは困難となる。よって、所望の遠近感制御の効果が期待できないときは、複雑な処理を伴いがちな直接的な距離制御をあきらめ、疑似３Ｄ画像処理のみによる遠近強調で対応する（例えば、オブジェクトのサイズを小さくする）こととしたものである。
【００１５】
これによって、遠方のオブジェクトについても、遠近感をもった表示が効果的に行えるようになる。また、ＨＵＤ装置が距離制御可能な全範囲（全距離範囲）にわたって、虚像表示距離を制御するのではなく、人の目に効果的な範囲においてのみ距離制御を行うことで、表示装置の処理負担を軽減することができる。従って、表示装置（車両表示装置としてのＨＵＤ装置等）のパッケージの大型化が抑制され、コスト面でも有利となり、また、発熱の問題も抑制される。従って、ＨＵＤ装置の負担等を軽減しつつ、ＨＵＤ装置が意図する虚像表示距離での情報の知覚を実現することができる。
【００１６】
第１の態様に従属する第２の態様において、
前記奥行き表示制御部は、
前記オブジェクトの虚像表示距離が閾値より大きいときは、前記閾値が示す距離を前記オブジェクトについての虚像表示距離と定め、その虚像表示距離の虚像表示面にて、前記疑似３Ｄ表示制御によって前記オブジェクトの画像を表示させてもよい。
【００１７】
第２の態様では、オブジェクトの虚像表示距離が閾値より大きく、疑似３Ｄ表示制御が実行されて虚像が表示されるとき、その虚像表示距離を、閾値が示す距離に設定する。実際の虚像表示距離と閾値との比較を行った結果、虚像表示距離が閾値より大きいときは、比較に用いられた閾値そのものを、虚像表示距離として設定することから、虚像表示距離を新たに決め直す必要がなく、装置の負担が軽減され、また、迅速な虚像表示処理が可能となる。
【００１８】
第１又は第２の態様に従属する第３の態様において、前記オブジェクトについての表示形態を変更には、立体化、陰影の付与、色彩の変更、形状の変更、サイズの変更の少なくも１つが含まれてもよい。
【００１９】
第３の態様では、疑似３Ｄ表示の一種である「表示形態の変更」には、立体化（遠近法による描画であり、例えば線を斜線とする等）、あるいは、形状はそのままであるが、陰影をつけることで遠近感を演出こと、あるいは、色彩や形状の変更、オブジェクトの全部（外観）のサイズの変更（但し、これに限定されず、一部のサイズ変更であってもよい）を含めることができる。これにより、多彩な手法を用いて、簡易に、かつ効率的に遠近感の知覚を生じさせることが可能となり、装置の負担が軽減され、パッケージの小型化も図ることができる。
【００２０】
第１乃至第３の態様の何れか１つ従属する第４の態様において、
前記虚像表示距離を可変に制御する距離制御を少なくとも含む３Ｄ表示制御は、前記距離制御単独、または、前記距離制御と前記疑似３Ｄ表示制御との組み合わせであるようにしてもよい。
【００２１】
第４の態様では、虚像表示距離が閾値より小さく、虚像表示距離を直接的に制御する（３Ｄ制御を行う）とき、併せて、表示形態の変更による疑似３Ｄ制御を行ってもよい。これにより、遠近感をより効率的に演出でき、表示される虚像の連続性を確保する点でも有利となる。
【００２２】
第１乃至第４の態様の何れか１つ従属する第５の態様において、
前記奥行き表示制御部は、
虚像表示面が、路面に対して垂直に立設されることなく傾斜し、あるいは前記路面に重なる場合において、その傾斜し、あるいは路面に重なる虚像表示面のうちの、前記閾値が示す距離よりも、前記ユーザーから見て遠くにある箇所に前記オブジェクトの虚像を表示するときは、前記箇所に対応する虚像部分の全部を、前記閾値およびその近傍における虚像表示距離にて表示し、かつ、前記虚像部分に対応する画像に前記疑似３Ｄ表示制御を実施し、これによって、前記虚像部分が、前記閾値が示す距離よりも前記ユーザーの近い側にある前記オブジェクトの虚像部分に遠近感をもって接続されるように表示を制御してもよい。
【００２３】
第５の態様では、虚像表示距離の直接的な制御を、路面に対して傾いている（あるいは、路面に重畳されている）虚像表示面における表示位置の変更によって行う場合を想定している。
【００２４】
例えば、光学的な光路長の変更で虚像表示距離を変化させることはできない装置であっても、虚像表示面を路面に対して傾ける（重畳させる）等しておけば、例えば、その虚像表示面の下側の虚像部分は手前に見え、上側にいくほど、遠くに見えるようになり、虚像表示距離を、表示する位置によって調整することができる。
【００２５】
この場合に、本発明を適用する場合を想定する。上記の閾値が示す距離が、傾いている（あるいは重畳している）虚像表示面での位置変更による距離可変範囲の中にある場合、一部の虚像は、その閾値よりも遠い位置にあることになる。この遠い位置にある一部の虚像に対応する画像は、ある時点で一括して（同時に）描画し、その描画の際に、表示形態を変更し（例えば、サイズを縮小する等し）て、それまで描画してきた図形等に連接するように、言い換えれば遠近感をもって知覚されるように、疑似３Ｄ画像に変換して描画する。人の目は、目の焦点の距離と虚像表示距離とが離れていた場合であっても、今度は、表示形態を頼りとして距離（奥行）を把握することから、人の知覚としては、同じ距離において、ややぼやけてはいるが小さく見えている虚像が、直近に描画した画像に対応する虚像に連続しているかのように錯覚する。言い換えれば、ユーザーの注視距離と虚像の表示距離の違いによって２重視が生じるが、遠方側では距離変化に対する２重視の度合いが小さくなる。上記のとおり、人（ユーザー）は、表示形態の変化（上記のサイズの縮小等）を頼りとして距離（奥行）を把握しようとする。そのような知覚作用によって、遠方であるがゆえに２重視の程度が小さいものを、さらに小さくすることができる。このような作用によって、遠近表示が可能である。言い換えれば、好ましい例として、違和感がほとんどないような連続性が保たれた遠近感のある表示が実現される。
【００２６】
閾値よりも遠い箇所の虚像に対応する画像は、一括して、サイズ等を調整して描くだけでよく、何回も時分割で部分画像を描画する必要がないことから効率的な画像生成が可能であり、その分、装置の処理負担が軽減される。
【００２７】
第６の態様において、表示制御装置は、第１乃至第５の何れか１つの態様のヘッドアップディスプレイ装置に搭載され、コンピュータを用いて実現される、前記奥行き表示制御部としての表示制御装置である。
【００２８】
奥行き表示制御部としてのコンピュータを、例えばＣＰＵ、ＭＰＵとして実現することで、小型化が可能であり、車載用の、小型のＨＵＤ装置にも適用が可能となる。
【００２９】
第７の態様において、表示制御プログラムは、コンピュータを、第６の態様の表示制御装置として動作させる表示制御プログラムである。
【００３０】
ソフトウエアによって構築可能であることから、実現が容易となる。
【００３１】
当業者は、例示した本発明に従う態様が、本発明の精神を逸脱することなく、さらに変更され得ることを容易に理解できるであろう。
【図面の簡単な説明】
【００３２】
【図１】図１は、車両が直線状の道路を走行している運転シーンにおける、表示コンテンツであるオブジェクト（ナビゲーション画像等）の虚像の表示の一例を示す図である。
【図２】図２は、車両が直線状の道路を走行している運転シーンにおける、表示コンテンツであるオブジェクト（ナビゲーション画像等）の虚像の表示の他の例を示す図である。
【図３】図３（Ａ）は、オブジェクトの虚像表示距離が所定値（閾値）を超える場合の表示制御例を示す図、図３（Ｂ）は、その表示制御例における虚像表示面の位置、及び表示形態制御等について説明するための図である。
【図４】図４（Ａ）は、オブジェクトの虚像表示距離が所定値（閾値）を超えない場合の表示制御例を示す図、図４（Ｂ）は、その表示制御例における虚像表示面の位置、及び表示形態制御等について説明するための図である。
【図５】図５は、ＨＵＤ装置において、虚像表示距離を可変に制御する例（ここでは、本発明は適用されていないものとする）を説明するための図である。
【図６】図６（Ａ）は、虚像表示距離が異なる複数の虚像表示面を設定可能な多面ＨＵＤ装置における虚像表示面の設定例を示す図、図６（Ｂ）は、多面ＨＵＤ装置の要部の構成例を示す図、図６（Ｃ）は、位置制御信号について説明するための図である。
【図７】図７は、虚像表示距離の制御が可能なＨＵＤ装置の全体構成の一例を示す図である。
【図８】図８は、本発明の実施形態にかかるＨＵＤ装置の主要な動作手順の一例を示すフローチャートである。
【図９】図９（Ａ）は、虚像表示面を路面に対して傾けることが可能なＨＵＤ装置の要部の構成例を示す図、図９（Ｂ）は、路面に重なるように設けられた虚像表示面上における遠近表示の原理を説明するための図である。
【図１０】図１０（Ａ）は、路面に対して傾けられて設けられる虚像表示面を用いて遠近制御を行う場合において、本発明を適用した場合の表示制御例（左折地点が遠くにある場合）を示す図、図１０（Ｂ）は、その表示制御例における虚像表示面の位置、及び表示形態制御等について説明するための図、図１０（Ｃ）は、虚像表示面上での画像の表示（描画）の一例を示す図である。
【図１１】図１１（Ａ）は、路面に対して傾けられて設けられる虚像表示面を用いて遠近制御を行う場合において、本発明を適用した場合の表示制御例（左折地点が近くにある場合）を示す図、図１１（Ｂ）は、その表示制御例における虚像表示面の位置、及び表示形態制御等について説明するための図である。
【発明を実施するための形態】
【００３３】
以下に説明する最良の実施形態は、本発明を容易に理解するために用いられている。従って、当業者は、本発明が、以下に説明される実施形態によって不当に限定されないことを留意すべきである。
【００３４】
図１は、車両が直線状の道路を走行している運転シーンにおける、表示コンテンツであるオブジェクト（ナビゲーション画像）の虚像の表示の一例を示す図である。
【００３５】
図１において、車両（自車両）１０は、直線状の道路（路面）２上を、速度６０ｋｍで走行している。ここでは、ユーザー（図１では不図示、図２の符号１）は、ステアリングホイール（ハンドル）３を握る運転者である。フロントパネル５には、車速表示用メーター（計器）Ｍ１、エンジンの回転数を示すメーター（計器）Ｍ２が設けられている。但し、これは例示であり、限定されるものではない。これらの計器の情報は、ＨＵＤ装置による虚像として表示されてもよい（併用の場合もあり得る。図１では併用されている）。
【００３６】
図１の運転シーンにおいて、同じ車線の前方車両としては、ＦＣ１、ＦＣ２の２台が存在する。手前側の前方車両ＦＣ１については、車間距離はかなりあるものの、例えば急速に減速した等の理由で、注意喚起マーク（重畳マークの一種である）ＣＵが重畳表示されている。なお、追い越し車線を走る前方車両ＴＣ１が遠くに見えている。
【００３７】
ＨＵＤ装置による車速表示（虚像ＳＰ）は、立体的な形状と共に表示されている（これは、立体的表示、３Ｄオブジェクトによる表示、立体感処理オブジェクトによる表示等と称することができる）。
【００３８】
また、前方車両ＦＣ２のやや手前側において、背景の空に重ねるように、ナビゲーション表示としての、かなりの面積をもつ仮想標識ＮＶが提示されている。仮想標識ＮＶは、地名表示Ｃ１０、Ｃ２０と、ガイドとしての矢印表示Ｃ３０、Ｃ４０とを含む。
【００３９】
なお、ＨＵＤ装置による虚像は、被投影部材としてのウインドシールド６上における虚像表示領域（図１では不図示、図２の符号７）において表示される。
【００４０】
図示されるとおり、ユーザー１は、遠近感を伴う多様なオブジェクトを同時に知覚する必要がある運転シーンであり、遠近感が誤って把握されると、事故にもつながりかねず、従って、最適な距離感でのオブジェクト（表示対象の虚像）の表示が重要となる。
【００４１】
図２を参照する。図２は、車両が直線状の道路を走行している運転シーンにおける、表示コンテンツであるオブジェクト（ナビゲーション画像）の虚像の表示の他の例を示す図である。図２において、図１と共通する部分には同じ符号を付している（なお、この点は、以下の図面においても共通である）。
【００４２】
図２の例では、３つの仮想標識Ｃ１、Ｃ２、Ｃ３が、異なる虚像表示距離に調整されて表示（投影表示）されている。特に、制限速度を表示するナビゲーション像Ｃ１は、車両１０の前方への走行スピードに合致させて、ユーザー１の視点Ａから見て、奥側から手前側へと流れるように、虚像表示距離が多段階に制御される。このような制御は、多面（マルチレイヤー）ＨＵＤ装置を用いて実現され得る（この点は後述する）。
【００４３】
次に、図３を参照する。図３（Ａ）は、オブジェクトの虚像表示距離が所定値（閾値）を超える場合の表示制御例を示す図、図３（Ｂ）は、その表示制御例における虚像表示面の位置、及び表示形態制御等について説明するための図である。なお、ここでは、所定の「閾値（遠近の判断の基準としての閾値）」を「２０ｍ」として説明する。
【００４４】
図３（Ａ）では、道路（路面２）を横切ろうとしている人Ｄ１が右遠方（ユーザーとしての運転者１の視点Ａから３０ｍの位置）に見えている。ＨＵＤ装置は、その人Ｄ１に重畳させるように、注意喚起のための枠（注意喚起枠と称する）Ｊ３を表示する。
【００４５】
本来、ＨＵＤ装置が意図する、枠Ｊ３の虚像表示距離（結像距離、焦点距離等と称されることもある）は、Ｌ２（３０ｍ）であるが、この距離は、閾値Ｌ１（２０ｍ）を超えている。よって、虚像表示距離を光学系の移動によって正確に調整したとしても、輻輳角の変更の度合いは小さく、人の目には、変化があまり捉えられない。一方で、装置の処理負担が増大し、パッケージサイズが大きくなる等の弊害も懸念されることになる。
【００４６】
そこで、Ｌ１（２０ｍ）を超える部分については直接的な距離の調整は行わず、表示形態の変化を手掛かりとしてユーザーに遠近的知覚を与える手法に変更して表示する。ここでは、例えば、閾値Ｌ１（２０ｍ）の位置に、例えば路面２に垂直に立設する虚像表示面（図３（Ｂ）の符号ＰＳ１）を想定し、その表示面上に、本来の大きさの「枠Ｊ１」に代えて、より小さなサイズの、疑似３Ｄ変換処理済みの「枠Ｊ２」を表示する。
【００４７】
虚像表示面を閾値が示す距離Ｌ１（２０ｍ）に設定するのは、他の距離を新たに設定する手間が省け、効率的な処理ができ、処理速度等の面で有利であるからである。
【００４８】
ユーザー１は、「枠Ｊ２」が、人Ｄ１に重なって見える。このとき、距離は一致はしないが、しかし、サイズが縮小されたことを手掛かりにして人の目（視点Ａ）は遠近感を知覚することができる。よって、実際には距離の差があっても、その差が補われて、「枠Ｊ３（図中、太線の破線で示される）」が「人Ｄ１」に重畳しているかのように感じられる。よって、違和感のない、遠近感を与えることができ、効果的な立体表示となる。また、装置の処理負担を軽減でき、これによって、コスト削減、パッケージサイズの抑制、発熱の問題の抑制等の効果を期待することができる。
【００４９】
図３（Ｂ）に示すように、実際は、距離Ｌ１の虚像表示面ＰＳ１上に、サイズが縮小された虚像Ｊ２が表示されるのであるが、ユーザー１の目（視点Ａ）には、あたかも、距離Ｌ２の虚像表示面ＰＳ２上に表示されているかのように見える。なお、ここでは、虚像表示面ＰＳ１、ＰＳ２は、路面２に対して垂直に立設しているものとする。虚像表示面上においては、表示位置に関係なく、視点Ａからの距離が同じであると取り扱われる。
【００５０】
次に、図４を参照する。図４（Ａ）は、オブジェクトの虚像表示距離が所定値（閾値）を超えない場合の表示制御例を示す図、図４（Ｂ）は、その表示制御例における虚像表示面の位置、及び表示形態制御等について説明するための図である。
【００５１】
図４の運転シーンは、図３（Ｂ）と同じである。但し、図３に描かれている運転シーンの時点から時間が経過し、人Ｄ１が、ユーザーである運転者１からみて、より近くに見えている。
【００５２】
図４（Ａ）では、人Ｄ１は、距離Ｌ３（１０ｍ）の位置にあり、Ｌ１は、閾値Ｌ２（２０ｍ）より小さく、虚像表示距離の直接的な制御によって、効果的に立体感を演出することが可能である。そこで、ＨＵＤ装置は、距離制御（３Ｄ制御）によって、枠Ｊ４を、距離Ｌ３（１０ｍ）に設定して表示する。これによって、枠Ｊ４と人Ｄ１との距離が一致することになり、違和感のない遠近感のある表示が実現される。
【００５３】
図４（Ｂ）に示すように、距離Ｌ３の位置にある虚像表示面ＰＳ３上に、枠（注意喚起用の強調枠）Ｊ４が、本来のサイズで示されている。但し、これに限定されるものではない。図４の例において、距離を直接的に制御し、さらに、表現態様の変更による疑似３Ｄ表示によって、より立体感を増したり、より効果的な遠近強調を実現したりすることができる。
【００５４】
次に、図５を参照する。図５は、ＨＵＤ装置において、虚像表示距離を可変に制御する例（ここでは、本発明は適用されていないものとする）を説明するための図である。ここでは、図２のナビゲーション画像を表示する例を示す。
【００５５】
図５に示されるように、ＨＵＤ装置１００は、被投影部材であるウインドシールド６に、オブジェクト（表示対象物）の画像を投影（言い換えれば、画像を表示する表示光Ｋを照射）し、これによって、ユーザー１は、前方に設定される虚像表示面ＰＳ１０、ＰＳ１１、ＰＳ１２上において、ナビゲーション像（虚像）Ｃ１〜Ｃ３が各々、表示される。
【００５６】
各虚像表示面ＰＳ１０〜ＰＳ１２上では、虚像の表示位置にかかわらず、虚像表示距離は同じであり、図５においては、虚像表示面ＰＳ１０、ＰＳ１１、ＰＳ１２の各虚像表示距離はＬ２０１、Ｌ２０２、Ｌ２０３（Ｌ２０１＜Ｌ２０２＜Ｌ２０３）に設定されている。
【００５７】
ここで、制限速度を表示するナビゲーション像Ｃ１は、車両１０の前方への走行スピードに合致させて、ユーザー１の視点Ａから見て、奥側から手前側へと流れるように、虚像表示距離が多段階に制御される。このような制御は、多面（マルチレイヤ―）ＨＵＤ装置を用いて実現される（この点は後述する）。
【００５８】
図５の運転シーンでは、虚像表示距離を異ならせた複数のオブジェクト（３種類のナビゲーションコンテンツＣ１〜Ｃ３）が同時に提示されており、また、制限速度の標識であるＣ１が、自車両１０の動きに合わせて手前側に流れるように動かされており、視覚的違和感が生じ易い運転シーンといえる。
【００５９】
ＨＵＤ装置１００には、奥行き表示制御部（虚像表示距離制御部を含む）３４と、表示形態制御部（遠近感補正部）９００と、を有する。表示形態制御部（遠近感補正部）９００は、表示オブジェクトの形態を変化させる場合等において、必要な形態の表示要素を、例えばレンダリングにより、あるいは、メモリからデータを読み出すことによって生じさせる。
【００６０】
奥行き表示制御部（虚像表示距離制御部を含む）３４は、図３、図４で示したように、虚像表示距離の直接的制御（３Ｄ制御）、及び表示形態の制御（疑似３Ｄ制御）の少なくとも一方を実施する。制御態様は、オブジェクトの距離、周囲環境（例えば昼／夜、ヘッドライトのアップ／ダウン、季節、天候、ユーザーである運転者等１の体調等）を考慮して、適応的に変更させることも可能である。これによって、よりユーザー１の視覚に合った、自然な立体視が可能となる。
【００６１】
次に、図６を参照する。図６（Ａ）は、虚像表示距離が異なる複数の虚像表示面を設定可能な多面ＨＵＤ装置における虚像表示面の設定例を示す図、図６（Ｂ）は、多面ＨＵＤ装置の要部の構成例を示す図、図６（Ｃ）は、位置制御信号について説明するための図である。
【００６２】
多面（マルチレイヤー）ＨＵＤ装置は、多面（３以上の面）の虚像表示面を設定可能なＨＵＤ装置である。言い換えれば、虚像表示距離は、ｍ通り（ｍは３以上の自然数）に変更可能である。図６（Ａ）では、ｍ＝４５であり、虚像表示距離が異なる虚像表示面ＰＳ１〜ＰＳ４５を設定可能である。
【００６３】
多面（マルチレイヤー）ＨＵＤ装置では、虚像を表示可能な虚像表示面が多面化（マルチレイヤー化）されることから、虚像表示距離を、より自在に変更することができ、奥行き感のある立体的な表示が可能となる。また、さらに、表示対象の物体（オブジェクト）のサイズや高さを、適宜、変更して遠近感を持たせたり、サイズを調整したり、物体の表示位置を調整したり、物体に奥行きを持たせて立体化したり、物体に影をつけたり、斜視表現を採用したり、物体の質感を緻密に表現したりする、といった、幾何学的な立体装飾処理（立体装飾と称する場合がある）を施すこと（言い換えれば、疑似３Ｄ画像処理を併用すること）で、よりリアルな３Ｄ表示が可能となる。
【００６４】
図６（Ｂ）を参照する。図６（Ｂ）では、光走査型のＨＵＤ装置の要部の構成が示されている。図示されるように、位置制御信号生成部９１が設けられ、この位置制御信号生成部９１は、表示制御部３００から与えられる制御信号である走査駆動信号ｒｖｓを受けて、位置制御信号ＶＰＣを生成、出力する。
【００６５】
また、虚像表示距離変更部２４は、レンズ駆動部９３及びスクリーン駆動部９５を含む。また、図６（Ｂ）においては、画像処理部５１と、光源部５３とが設けられる。
【００６６】
画像処理部５１は、表示制御部３００から与えられる表示画像データｃｖに基づいて表示画像を生成し、生成した表示画像を光源駆動部５５に供給する。
【００６７】
また、光源部５３は、光源駆動部５５及び光源（ここではレーザー光源ＬＤ）５７を含む。位置制御信号生成部９１が生成する位置制御信号ＶＰＣは、虚像表示距離変更部２４のレンズ駆動部９３及びスクリーン駆動部９５に供給され、同時に、光源駆動部５５にも供給される。
【００６８】
虚像表示距離変更部（あるいは虚像表示距離制御部）２４は、画像表示部（単に、表示部という場合もある）としてのスクリーン４６（及びレンズ４４）を、画像表示部としてのスクリーン４６の光軸に沿う方向（言い換えれば、光路に沿う方向であり、図６（Ｂ）では、表示光Ｋが進行する矢印で示される方向）において、所定範囲（ここでは距離範囲ＬＺ）で、振動させることによって、画像表示部としてのスクリーン４６（より具体的には、画像Ｍが表示される表示面４７）から、被投影部材３までの光路長を周期的に変更する。また、光源部５３の光源駆動部５５によって、光源（レーザー光源ＬＤ）５７からの光の出射タイミングが制御されることによって、画像表示部としてのスクリーン４６の表示面４７上における画像Ｍの表示タイミング（表示時刻）が制御（調整）される。
【００６９】
ここで、ｍ通りに変更され得る虚像表示距離の各々に対応する虚像表示面を第１〜第ｍの虚像表示面とする場合に、画像表示部としてのスクリーン４６（及びレンズ４４）を所定範囲（ＬＺ）で、所定周期で振動させる制御、画像表示部としてのスクリーン４６の表示面４７における画像の表示タイミングの制御、及び、表示タイミングの制御に同期した表示内容の変更制御（の組み合わせ）によって、例えば、第１〜第ｍの虚像表示面の内の少なくとも２面の各々に、例えば異なる非重畳コンテンツ（実景への重畳を前提としないナビゲーション表示等）についての虚像の表示が可能であり、また、時間経過に伴なって虚像が流れるような制御を行うことも可能となる。
【００７０】
位置制御信号生成部９１が生成する位置制御信号ＶＰＣは、例えば、図６（Ｃ）に記載されるような、鋸歯状（のこぎり状）の電圧信号（鋸歯状波の電圧信号）である。なお、図６（Ｃ）では、横軸に時間ｔ、縦軸に電圧ｖを設定している。
【００７１】
位置制御信号ＶＰＣの電圧が０の場合は、画像表示部としてのスクリーン４６は、第１の位置ＰＴ０に位置し、位置制御信号ＶＰＣの電圧がピーク値の場合は、画像表示部としてのスクリーン４６は、第２の位置ＰＴ１に位置する。
【００７２】
ここで、例えば、時刻ｔ１〜ｔ４の各々において、光源部５３から、異なる表示コンテンツ（表示対象）の画像を出力することによって、虚像表示距離が異なる４つの表示対象（虚像）を表示することができる。この構成を用いることで、図１、図２で示したような、オブジェクトの表示（表示像による情報提示）を実現することができる。
【００７３】
なお、上記の構成は一例であり、これに限定されるものではない。例えば、表示面を有する表示部を複数、並列に設け、各表示部の位置を、ステップ的に移動させることで、虚像表示距離を多段階に変更可能としてもよい。
【００７４】
次に、図７を参照する。図７は、虚像表示距離の制御が可能なＨＵＤ装置の全体の構成例を示す図である。車両用表示装置は、車両１０に搭載され、画像を、車両１０に備わる被投影部材としてのウインドシールド６に投影することで、ユーザー（ここでは運転者）１に画像の虚像Ｖ（虚像表示面ＰＳ上に表示される）を視認させるヘッドアップディスプレイ（ＨＵＤ）装置１００を有する車両用表示装置であり、画像を生成する画像生成部３２と、画像（表示画像）Ｍが形成される表示面４７を有し、画像Ｍの表示光Ｋを発する表示部（ここではスクリーン４６）と、表示光Ｋを反射して、被投影部材３に投影する光学部材（ここでは凹面鏡４９）を含む光学系５２と、ユーザー１上又は車両１０上に設定される基準点から虚像までの距離である虚像表示距離を変更する虚像表示距離変更部（図６（Ｂ）の符号２４、図７では不図示）と、画像生成部３２及び虚像表示距離変更部（図６（Ｂ）の符号２４）を制御して、複数の表示対象（例えば図５のＣ１〜Ｃ３）の各々を、異なる虚像表示距離（図５では表示距離Ｌ２０１、Ｌ２０２、Ｌ２０３）に同時に表示させることが可能な表示制御部３００と、を有する。
【００７５】
表示制御部３００は、画像生成部３２と、走査駆動部３３と、奥行き表示制御部（虚像表示距離制御部を含む）３４と、表示形態制御部（遠近感補正部）９００を備える。
【００７６】
表示形態制御部（遠近感補正部）９００は、表示オブジェクトの形態を変化させる場合等において、必要な形態の表示要素を、例えばレンダリングにより、あるいは、メモリからデータを読み出すことによって生じさせる。
【００７７】
奥行き表示制御部（虚像表示距離制御部を含む）３４は、図３、図４で示したように、虚像表示距離の直接的制御（３Ｄ制御）、及び表示形態の制御（疑似３Ｄ制御）の少なくとも一方を実施する。制御態様は、オブジェクトの距離、周囲環境（例えば昼／夜、ヘッドライトのアップ／ダウン、季節、天候、ユーザーである運転者等１の体調等）を考慮して、適応的に変更させることも可能である。これによって、よりユーザー１の視覚に合った、自然な立体視が可能となる。
【００７８】
なお、ＨＵＤ装置１００は、ダッシュボード４内に配置されている。光学系（投射光学系）５２は、画像の表示光Ｋをウインドシールド６に照射することができる。
【００７９】
また、図７では、環境光（外光）の強度を検出する外光強度センサー１６が自車両１０に備わっている。検出された外光強度は、昼夜の区別をするため、あるいは、日差しによる照り返しの強弱等といった周囲環境情報の一種であり、種々、役立てることができる。
【００８０】
また、図７では、前方（車両周囲）撮像カメラ１７による撮像画像に基づいて画像処理を行う画像処理部２１を有する運転シーン判定部１９と、仮想標識情報（広義のナビゲーション情報）を出力する表示オブジェクト情報生成部４００と、ソナー部１０と、測距部１３と、が設けられている。ソナー部１０は、例えば、前方車両との距離（車間距離）を瞬時に測定するのに役立つ。測距部１３は、所定演算により車間距離等を高精度に、かつ正確に求める。
【００８１】
表示オブジェクト情報生成部４００は、奥行きマッピング部４０２と、表示オブジェクト（色、立体形状等の情報を含む）生成部４０４と、運転経路情報取得部４０６と、自車両位置情報取得部４０８と、地図情報取得部４１０と、記憶部（地図、道路案内情報、道路標識等のデータベースとして機能する）４１２と、を有する。
【００８２】
表示オブジェクト情報生成部４００には、車載ＥＣＵ７００が収集した車両情報等が、バス（ＢＵＳ）を介して供給される。
【００８３】
また、通信部５００が、例えば、車両１０の外部に設置されている運転支援システム６００との無線通信によって取得した各種の情報を、適宜、ナビゲーション部（ナビゲーションＥＣＵ）４００の自車両位置情報取得部４０８及び地図情報取得部４１０に供給するようにしてもよい。
【００８４】
また、ＧＰＳ受信部がＧＰＳ衛星から受信した位置情報等を、適宜、表示オブジェクト情報生成部（具体的にはナビゲーション用ＥＣＵ）４００の自車両位置情報取得部４０８及び地図情報取得部４１０に供給するようにしてもよい。
【００８５】
次に、図８を参照する。図８は、本発明の実施形態にかかるＨＵＤ装置の主要な動作手順の一例を示すフローチャートである。
【００８６】
ステップ１にて情報提示の必要性が判定され、Ｎのときは現状が維持され、Ｙのときは、ステップＳ２に移行する。ステップ２では、ＨＵＤ装置が提示しようとするオブジェクトの虚像表示距離が、閾値よりも小さいか（閾値以下であるか）を判定する。なお、閾値未満であるかを判定することもできる。
【００８７】
Ｙのときは、ステップ３に移行する。ここでは、表示オブジェクトを生成し、距離制御（必要に応じて表示形態制御の併用も可）を実施する。Ｎのときは、表示オブジェクトを生成し、表示形態制御を実施する（ステップＳ４）。
【００８８】
ステップＳ５にて、表示オブジェクトが描画される。これにより、虚像（図７の符号Ｖ）が、虚像表示領域７（図２参照）内に表示される。
【００８９】
次に、図９を参照する。図９（Ａ）は、虚像表示面を路面に対して傾けることが可能なＨＵＤ装置の要部の構成例を示す図、図９（Ｂ）は、路面に重なるように設けられた虚像表示面上における遠近表示の原理を説明するための図である。
【００９０】
図９（Ａ）のＨＵＤ装置１００は、表示制御部３０１と、投光部４２と、鉛直方向（ｙ軸方向）を基準として所定の角度だけ傾斜したスクリーン４６と、ミラー７２と、を有する。表示制御部３０１は、奥行き表示制御部３４と、画像生成部３２と、投光制御部３６と、を有する。なお、符号Ｐは光軸を示し、Ｋは表示光を示す。
【００９１】
このＨＵＤ装置１００は、原則として、画像表示部としての傾斜したスクリーン４６を移動させる機構は有していない。したがって、虚像表示距離の変更は、スクリーン４６の表示面４７上で画像Ｍのｙ軸成分の方向における位置を変更することによって行うことになる。但し、傾斜したスクリーンを移動させる機構を有する場合は、スクリーン４６の移動と、画像Ｍの表示面４７上における位置の変更との併用によっても、虚像表示距離を変更することができる。
【００９２】
図９（Ａ）において、傾斜したスクリーン４６の表示面４７上での画像Ｍの、上下方向に沿う位置の変更は、破線の双方向の矢印で示されている。この画像Ｍの位置の変更によって、図９（ｂ）に示される、路面２に設定される虚像表示面ＰＳ１０上で、例えば、虚像ＶＢが、虚像ＶＢ’の位置まで移動することになり、この場合、虚像表示距離Ｌ４０が、虚像表示距離Ｌ５０へと変更されることになる。
【００９３】
このように、傾斜した（あるいは、その特殊態様としての、路面に重畳される）虚像表示面を用いて、位置変更によって、虚像表示距離を可変に制御することができる。簡易な方法によって距離制御ができることから、ＨＵＤ装置１００の負担が軽減され、コスト上昇の抑制も容易となる。
【００９４】
次に、傾斜した虚像表示面を利用して虚像表示距離を変更可能なＨＵＤ装置に、本発明を適用する場合について説明する。図１０を参照する。図１０（Ａ）は、路面に対して傾けられて設けられる虚像表示面を用いて遠近制御を行う場合において、本発明を適用した場合の表示制御例（左折地点が遠くにある場合）を示す図、図１０（Ｂ）は、その表示制御例における虚像表示面の位置、及び表示形態制御等について説明するための図、図１０（Ｃ）は、虚像表示面上での画像の表示（描画）の一例を示す図である。
【００９５】
図１０の例では、虚像表示面が、路面に対して垂直に立設されることなく傾斜し、あるいは路面に重なる場合（ここでは、路面に重なる場合を例にとる）において、その傾斜し、あるいは路面に重なる虚像表示面のうちの、閾値が示す距離よりも、ユーザーから見て遠くにある箇所にオブジェクトの虚像を表示するときは、その箇所に対応する虚像部分の全部を、閾値およびその近傍における虚像表示距離にて表示し、かつ、虚像部分に対応する画像に疑似３Ｄ表示制御を実施し、これによって、虚像部分が、閾値が示す距離よりもユーザーの近い側にあるオブジェクトの虚像部分に連続的に、かつ遠近感をもって接続されるように表示を制御する。
【００９６】
図１０（Ａ）において、路面２に重畳されるように、左折位置を示すナビゲーション用の矢印８００が表示されている。ここで、図１０（Ａ）に示される下側の領域が、閾値よりも手前側に本来の距離が設定されている虚像が表示される領域であり、これを奥行き表現領域Ｚ１とする。上側の領域が、閾値よりも遠方に本来の距離が設定されている虚像が表示される領域であり、これを奥面表現領域Ｚ２とする。
【００９７】
また、奥行き表現領域Ｚ１の表示８０２には、矢印８００の、自車両に近い側の部分と、及び車速表示（「４０ｋｍ／ｈ」という表示）ＳＰと、が含まれる。
【００９８】
奥面表現領域Ｚ２の表示には、矢印８００の先端を含む部分（自車両から遠い側の部分）８０４が表示される。
【００９９】
図１０（Ｂ）に示されるように、虚像表示面ＰＳ１２は、路面２に垂直な方向（ここでは鉛直方向）に対して所定角度、傾斜して設けられる。虚像表示面ＰＳ１２の左端は、距離Ｌ５（例えば１０ｍ）であり、右端は距離Ｌ６（例えば３０ｍ）である。閾値が示す距離はＬ２（例えば２０ｍ）である。
【０１００】
言い換えれば、閾値が示す距離が、傾いている虚像表示面ＰＳ１２での位置変更による距離可変範囲の中にあり、長く延在するナビゲーション用の矢印の虚像８００の一部は、その閾値Ｌ２よりも遠い位置にあることになる。
【０１０１】
図１０（Ｂ）から明らかなように、傾いている虚像表示面ＰＳ１２の、距離Ｌ２（閾値）よりも手前側の領域の表面に重なるようにして表示８０２が延在している。
【０１０２】
一方、表示８０４であるが、これは、距離Ｌ２（閾値）の地点で、あたかも路面２に垂直に立設する虚像表示面上に描かれているように見えている。これは、図９（Ａ）で示したスクリーン（画像表示部）４６の表示面４７上に画像Ｍを描画する際の描画方法（タイミングと画像とを工夫すること）と、人の目の錯覚と、によって疑似的に実現されるものである。
【０１０３】
ここで、図１０（Ｃ）を参照する。図１０（Ｃ）に示されるように、表示８０２は、時刻ｔ１〜ｔｎの各々に対応して、画像要素（短冊状の画像）Ｍ１〜Ｍ９が時分割で表示（描画）されていく。例えば、最も手前側にある画像要素Ｍ１が描かれ、次に、Ｍ２が描かれるのであるが、各々の画像要素は、時分割で描かれることから、そして表示位置が異なることから、結像点が異なり、表示位置が、虚像表示面上で連接して描かれるかのように見える。言い換えれば、時刻と共に、画像要素の虚像表示距離が増大していく。
【０１０４】
これに対して、閾値Ｌ２よりも遠方にある虚像（言い換えれば表示８０４）に対応する画像は、時刻ｔ（ｎ＋１）において、一括して（同時に）描画される。そして、その描画の際に、表示形態を変更する（例えば、サイズを縮小したり、外観形状を示す線分の傾きを変更したりする等の遠近手法を駆使する）ことで、それまで描画してきた図形（表示８０２に対応する画像）に連接（連続）するように、言い換えれば遠近感をもって知覚されるように、疑似３Ｄ画像に変換して描画する。
【０１０５】
ここで、人の目は、目の焦点の距離と虚像表示距離とが離れていた場合であっても、今度は、表示形態の変化（上記のサイズの縮小等）を頼りとして距離（奥行）を把握することから、人の知覚としては、同じ距離において、ややぼやけてはいるが小さく見えている虚像が、直近に描画した画像に対応する虚像に連続しているかのように錯覚する。言い換えれば、ユーザーの注視距離と虚像の表示距離の違いによって２重視が生じるが、遠方側では距離変化に対する２重視の度合いが小さくなる。上記のとおり、人（ユーザー）は、表示形態の変化（上記のサイズの縮小等）を頼りとして距離（奥行）を把握しようとする。そのような知覚作用によって、遠方であるがゆえに２重視の程度が小さいものを、さらに小さくすることができる。このような作用によって、遠近表示が可能である。言い換えれば、好ましい例として、違和感がほとんどないような連続性が保たれた遠近感のある表示が実現される。
【０１０６】
この方法によれば、閾値（距離Ｌ２）よりも遠い箇所の虚像に対応する画像は、一括して、サイズ等を調整して（言い換えれば疑似３Ｄ化して）描くだけでよく、何回も時分割で部分画像（部分的な画像要素）を描画する必要がないことから、効率的な画像生成が可能であり、その分、ＨＵＤ装置の処理負担が軽減される。
【０１０７】
次に、図１１を参照する。図１１（Ａ）は、路面に対して傾けられて設けられる虚像表示面を用いて遠近制御を行う場合において、本発明を適用した場合の表示制御例（左折地点が近くにある場合）を示す図、図１１（Ｂ）は、その表示制御例における虚像表示面の位置、及び表示形態制御等について説明するための図である。
【０１０８】
図１１の運転シーンは、図１０と同じである。但し、図１０に描かれている運転シーンの時点から時間が経過し、左折地点が、ユーザーである運転者１からみて、より近くに見えている。
【０１０９】
図１１において、表示８０２’、表示８０４’は各々、図１０の表示８０２、８０４に対応する。なお、車速表示ＳＰ’は、「３０ｋｍ／ｈ」に変更されている。
【０１１０】
図１１（Ｂ）に示すように、虚像表示面ＰＳ１２’の左端の距離はＬ７であり、右端の距離はＬ８である。虚像表示面ＰＳ１２’の閾値（Ｌ２）よりも手前側の領域の表面に重なるようにして表示８０２’がなされている。また、閾値（Ｌ２）の距離（少しずれる場合もあることから、その近傍となる）において、表示８０４’が一括的に表示される。表示手法については、先に図１０にて説明したのと同じである。
【０１１１】
以上のように、本発明の実施形態によれば、例えば、ＨＵＤ装置の負担等を軽減しつつ、ＨＵＤ装置が意図する虚像表示距離での情報の知覚を実現することができる。
【０１１２】
以上、本発明を実施形態に基づいて説明したが、本発明は、これらの実施形態に限定されるものではなく、種々、変形、応用が可能である。例えば、本発明において実施される虚像位置の変更制御は、車両の運転のシミュレータ等にも応用することが可能である。
【０１１３】
なお、「車両」については、例えば、「乗り物」、「移動体」というように広義に解釈することも可能である。ＨＵＤ装置についても、車載表示装置、乗り物（移動体）用表示装置、というように、広義に解釈することができるものとする。また、ＨＵＤ装置は、プロジェクターを利用したものの他、ホログラフィーと称されるものであってもよい。
【０１１４】
本発明は、上述の例示的な実施形態に限定されず、また、当業者は、上述の例示的な実施形態を特許請求の範囲に含まれる範囲まで、容易に変更することができるであろう。
【符号の説明】
【０１１５】
１・・・ユーザー（運転者等）、２・・・路面（道路）、３・・・ステアリングホイール（ハンドル）、５・・・フロントパネル、６・・・被投影部材（ウインドシールド等）、７・・・虚像表示領域、１０・・・車両（自車両）、１１・・・ソナー部、１３・・・測距部、１９・・・運転シーン判定部、２１・・・画像処理部、３２・・・画像生成部、３３・・・走査駆動部、３４・・・奥行き表示制御部（虚像表示距離制御部を含めることが可能）、４４・・・レンズ（光学系）、４６・・・スクリーン（画像表示部、表示部）、４７・・・画像表示面（表示面）、４９・・・凹面鏡（ミラー）、５２・・・投射光学系（光学系）、１００・・・ＨＵＤ装置、３００・・・表示制御部、８０２、８０２’・・・閾値よりも手前側の表示、
８０４，８０４’・・・閾値より遠方の表示、９００・・・表示形態制御部（遠近感補正部）、ＰＳ・・・虚像表示面、Ｋ・・・表示光、Ｍ・・・画像、Ｖ・・・虚像、Ｚ１・・・奥行き表現領域、Ｚ２・・・奥面表現領域
【図１】
2020158014.tif 000003
【図２】
2020158014.tif 000004
【図３】
2020158014.tif 000005
【図４】
2020158014.tif 000006
【図５】
2020158014.tif 000007
【図６】
2020158014.tif 000008
【図７】
2020158014.tif 000009
【図８】
2020158014.tif 000010
【図９】
2020158014.tif 000011
【図１０】
2020158014.tif 000012
【図１１】
2020158014.tif 000013